(57)【要約】      （修正有）【課題】手袋本体に対するフラップ部の係着を、片手操作で簡単に且つ体裁よく行うことができ、高級感のある雌雄係合手段を備えたスポーツ用手袋を提供する。【解決手段】手袋本体に設けられるフラップ３と、該フラップに対応して手袋本体の甲部若しくは手首近傍位置とに、相互に対応する雌雄の係止手段を備え、雄係止手段はフック３１を有し、雌係止手段は、幅方向に延びる複数の線材２０を長手方向に配置してなる構成を有するスポーツ用手袋において、雌係止手段は、線材の短手方向中央位置を長手方向へ連続し、前記線材を固定する稜線部２１を備え、稜線部の側部から同じ側方の線材の端部までの範囲を、前記フックが線材に係止した状態で幅方向にスライドするスライド面とした。【選択図】図１
0003157833.tif 000002
【実用新案登録請求の範囲】
【請求項１】
手袋本体に設けられるフラップと、該フラップに対応して手袋本体の甲部若しくは手首近傍位置とに、相互に対応する雌雄の係止手段を備え、雄係止手段はフックを有し、雌係止手段は、幅方向に延びる複数の線材を長手方向に配置してなる構成を有するスポーツ用手袋において、雌係止手段は、線材の短手方向中央位置を長手方向へ連続し、前記線材を固定する稜線部を備え、稜線部の側部から同じ側方の線材の端部までの範囲を、前記フックが線材に係止した状態で幅方向にスライドするスライド面としたことを特徴とするスポーツ用手袋。
【請求項２】
テープ状の基材シート上に雌係止手段を配置し、該基材シートの端縁部と雌係止手段の両端部とを熱溶着してなる雌係止部材を備えたことを特徴とする請求項１記載のスポーツ用手袋。
【請求項３】
フラップの短手方向中央位置が雌係止手段の稜線部と対応するものとし、フラップに対するフックの取付位置が、係合時に、稜線部の側面にフックの側面が隣接する位置としたことを特徴とする請求項１又は２記載のスポーツ用手袋。
【請求項４】
稜線部の左右にスライド面を有し、各スライド面に対応するフックをフラップに設けたことを特徴とする請求項１又は２記載のスポーツ用手袋。
【請求項５】
手袋本体の少なくとも一部がニット素材であることを特徴とする請求項１、２、３又は４記載のスポーツ用手袋。
【考案の詳細な説明】
【技術分野】
【０００１】
本考案は、ゴルフ等のスポーツに用いられる所謂スポーツ用手袋に関し、特には、手首近傍若しくは甲部（以下、「手首等」という。）とこれに対応するフラップに係着手段を備えたスポーツ用手袋に関する。
【背景技術】
【０００２】
ゴルフ等のスポーツに用いるスポーツ用手袋は、競技中に着用者の手から不用意にずれたり抜けたりして競技を阻害しないようにする必要がある。このための手段として、手袋の甲部若しくは手首近傍位置とフラップとに、雌面ファスナー若しくはこれに対応する雄面ファスナーの係着手段を利用した係止具を設ける構成（例えば、特許文献１参照。）が公知である。上記雌雄面ファスナー手段は、係着位置をその都度自由に決定できるため、着用者の手首周りのサイズや好みの締付け具合に応じて着用でき、現在、広く一般的に用いられるに至っている。
【０００３】
その一方で、雌雄面ファスナー以外の係脱手段として、対向する面相互を着脱可能とする手段としては、例えば、太番手のポリエステル系合成繊維を経緯糸として適宜幅間の経糸を欠如した袋状生地を織成し経糸を欠如した係合条部の両側のほぼ同一幅の部分を熱処理して表裏の生地を密着固定し、適宜長さに裁断してなる鉤ホックの雌体（例えば、特許文献２参照。）が公知である。
【０００４】
更に、上布と重なる下布をとじ糸によりとじ合わせて成り、これらの布のいずれか一方或いは双方の緯と互いに組合う経を緯の走り方向に断続して編成することにより、経緯編成部の間に所定幅に経のみからなるフックの係止部を形成したことを特徴とするフックの布製掛止部材（例えば、特許文献３参照。）が公知である。
【先行技術文献】
【特許文献】
【０００５】
【特許文献１】特開２００４−９７５１０号公報
【特許文献２】実公昭４７−３４３２５号公報
【特許文献３】実開昭６０−２５４１１号公報
【考案の概要】
【考案が解決しようとする課題】
【０００６】
上記特許文献１に例示するように、一般的な雌雄面ファスナー手段は、係着状態から雌雄の面ファスナーの相互を引き離す際に、不快な騒音を生ずる。この不快な騒音は、例えば、ゴルフでは他のプレイヤーと共にコース内でプレイする際に、他のプレイヤーの集中の妨げとなり、またマナーにも反する行為となる。このため、手軽で自由度の高い係着ができ、且つ、騒音の発生を防止できるスポーツ用手袋が望まれている。
【０００７】
また、雌雄面ファスナーはその係着が容易である一方、一端係着すると係着位置の微調整ができない。スポーツ用手袋は片手で操作しなければならず、係着位置を微調整するためには、再度、雌雄の面ファスナーを引き離し（この際にも不快な騒音が生ずる。）、慎重且つ丁寧に係着させる必要が生じる。このため、係着操作の行い易さとは裏腹に、非常に不便であった。
【０００８】
更に、雌雄面ファスナーにおける多数の雄係合子は、手袋本体を編地（ニット素材）とした場合には、手袋本体のニット素材の編目に引っ掛かり易い。該雄係合子がニット素材に引っ掛かると、雄係合子を離脱させる際に、ニット素材が毛羽立った状態となったり、解れたり、ピリングを発生させることもあった。
【０００９】
上記特許文献２に係る鉤ホックの雌体を含む係止手段は、丈夫で復元性のある太番手のポリエステル系合成繊維糸を経緯糸として適宜幅間の経を欠如した袋状生地を織成し経を欠如した係合条部の両側のほぼ同一幅の部分を熱処理して表裏の生地を密着固定し、適宜長さに裁断して成る鉤ホックの雌体に特徴を有するものであり、スカート等、従来の雌雄面ファスナーテープを使用している箇所に用いることができる旨を開示している。
【００１０】
当該構成によれば、特許文献２の第１図、第２図及び第４図に直径の小さい袋物に使用する場合の形態として開示されるように、フックの幅寸法よりやや大きい寸法幅で、係合条部が形成されている。当該構成からすると、一のフックで係合条部に係止することから、スポーツ用手袋のフラップ（ベルト状のものを含む。）に装着される雌雄面ファスナーテープに代えて、当該構成を利用すると、騒音の発生は防ぐことができるとも考えられる。
【００１１】
しかしながら、スポーツ用手袋のフラップに、特許文献２に係る鉤ホックを用いると、雌雄面ファスナーのように簡単に取着することができない欠点があった。
即ち、手袋の装着は他の衣服等と異なり、片手で装着しなければならず、更にフラップをある程度手首の周囲に巻き付けるようにして締め込む必要があるため、締め込みや巻き付けの際にフックと雌体の係合条部の位置に若干のズレが生じると、当該フックと雌体を係止できなくなり、再度締め直す操作を行わなければならない。
【００１２】
一方、特許文献２の第３図のように、直径の大きい袋物に使用される雌体を使用すると、常に複数のフックが係合条部に係止しているかを確認し難く、また正確に係止させるのに注意を払う必要があり手間である上、気づかずに複数のフックのうちのいくつかが外れた状態となっていると、雌体に対するフックの係止が不安定となり、不慮の離脱を招来する虞がある。
【００１３】
また、特許の文献３に係るフックの布製掛止部材は、衣服類の構成布自体を雌係合手段として用い、若しくはこれを裁断して用いるものであり、上布及び下布をとじ糸によりとじ合わせて、必要に応じて下布の下方に底布を設け、布地の経糸を部分的に飛ばすことによって緯糸のみからなる雌側の係止部を形成するものである。このような構成の掛止部材は、底布は別として、予め衣服類の構成布自体に形成することで、従来のフックに対応して取着される雌部材をなくすことを目的としたものであるから、当然ながら、スポーツ用手袋のような皮革類に形成することはできない。
【００１４】
また、当該構成のものをテープ状等に形成し、皮革に縫製したとしても、特許文献２に係る雌体と同様に、常に複数のフックが係合条部に係止しているかを確認し難く、またスポーツ用手袋を装着するためには、片手での操作によって正確に係止させるのに注意を払う必要があり、手間となる欠点がある。
【００１５】
尚、特許文献３の第７図ではフックの幅より若干係止部の幅が大きく記載されているが、通常、差し込まれるフックの幅や厚みを確保するために係止部の幅はフックの幅よりも若干大きくしなければ係止できないものであり、当該記載は、係止を実現するための寸法であると考えられ、フックの幅方向のスライドを意図するものではない。
【００１６】
本考案は、以上の事情に鑑みてなされたものであり、手袋本体に対するフラップの係着を、片手操作で、簡単に且つ体裁よく行うことができ、高級感のある雌雄係合手段を備えた、スポーツ用手袋の提供を、考案が解決しようとする課題とする。
【課題を解決するための手段】
【００１７】
本考案は、手袋本体に設けられるフラップと、該フラップに対応して手袋本体の甲部若しくは手首近傍位置とに、相互に対応する雌雄の係止手段を備え、雄係止手段はフックを有し、雌係止手段は、幅方向に延びる複数の線材を長手方向に配置してなる構成を有するスポーツ用手袋において、雌係止手段は、線材の短手方向中央位置を長手方向へ連続し、前記線材を固定する稜線部を備え、稜線部の側部から同じ側方の線材の端部までの範囲を、前記フックが線材に係止した状態で幅方向にスライドするスライド面としたことを特徴とするスポーツ用手袋を、課題を解決するための手段とする。尚、本考案においては、フラップとは舌片状のもののみならず、ベルト状等の形状のものを含む。
【００１８】
また、本考案は、上記構成において、テープ状の基材シート上に雌係止手段を配置し、該基材シートの端縁部と雌係止手段の両端部とを熱溶着してなる雌係止部材を備えたことを特徴とするスポーツ用手袋を、課題を解決するための手段とする。
【００１９】
また、本考案は、上記いずれかの構成において、フラップの短手方向中央位置が雌係止手段の稜線部と対応するものとし、フラップに対するフックの取付位置が、係合時に、稜線部の側面にフックの側面が隣接する位置としたことを特徴とするスポーツ用手袋を、課題を解決するための手段とする。
【００２０】
また、本考案は、上記先の二つのうちいずれかの考案の構成において、稜線部の左右にスライド面を有し、各スライド面に対応するフックをフラップに設けたことを特徴とする雌雄の係止手段を備えたことを特徴とするスポーツ用手袋を、課題を解決するための手段とする。
【考案の効果】
【００２１】
請求項１に係る考案によれば、手袋本体に設けられるフラップと、該フラップに対応して手袋本体の甲部若しくは手首近傍位置とに、相互に対応する雌雄の係止手段を備え、雄係止手段はフックを有し、雌係止手段は、幅方向に延びる複数の線材を長手方向に配置してなる構成を有するスポーツ用手袋において、雌係止手段は、線材の短手方向中央位置を長手方向へ連続し、前記線材を固定する稜線部を備え、稜線部の側部から同じ側方の線材の端部までの範囲を、前記フックが線材に係止した状態で幅方向にスライドするスライド面としたことから、着用時に片手でフラップを把持し、該フラップを引っ張りながら、フックと雌係止手段（線材）をおおよそ合わせるだけの大雑把な操作で、係着させることができる。そして、大雑把な係着操作によって、フラップ全体が対応する係着位置からずれていても、その後にフックと雌係止手段とを離脱させることなく、フラップを幅方向にスライドさせるだけで、雌係止手段に沿って移動させることができ、簡単に、フラップと該フラップに対応する係止位置を適正化することができる。
【００２２】
そして、雌雄係合手段を離脱させる際には、雌雄面ファスナー手段で生じるような不快な騒音を生じることがないので、ゴルフ等では他のプレイヤーの妨げにもならず、高級感がある、優れたスポーツ用手袋を提供することができる。
【００２３】
本請求項２に係る考案は、上記請求項１に係る考案に加えて、テープ状の基材シート上に雌係止手段を配置し、該基材シートの端縁部と雌係止手段の両端部とを熱溶着してなる雌係止部材を備えたことから、手袋のサイズや種類に応じて、適宜簡単に雌係止手段の位置決めを行えるものとした上で、上記請求項１の作用効果を得ることができる。
【００２４】
本請求項３に係る考案は、上記請求項１又は請求項２に係る考案を前提として、フラップの短手方向中央位置が雌係止手段の稜線部と対応するものとし、フラップに対するフックの取付位置が、係合時に、稜線部の側面にフックの側面が隣接する位置としたことから、係着操作後のフラップの幅方向のスライドによって、稜線部に隣接させた状態として、フックと雌係止手段との係合位置が幅方向での最適な位置に調節できる。稜線部の側部位置は、雌係止手段である線材と稜線部が交差しており線材とシート基材がより密着し、この線材とシート基材との間にフックの先端が入り込むため、よりフックは強く係止され、またフックは稜線部を超えてスライドしないため、スライド方向も幅方向のうち一方のみに制限され、更に着用時にフラップに対して生じる長手方向（手首周りの方向）の引張力が作用することで、係止させたフックは使用状態においてずれることもなく、安定した係止状態を保持することができる。
【００２５】
本請求項４に係る考案は、上記請求項１又は請求項２に係る考案を前提として、稜線部の左右にスライド面を有し、各スライド面に対応するフックをフラップに設けたことから、請求項１及び請求項２に係る考案と同様の大雑把な係止操作とその後のスライド操作を可能とした上で、係止時において、左右のフックの間に稜線部が配置されることから、稜線部で仕切られた二点においてフックと雌係止手段とを係着するため、着用時のフラップのずれを防止でき、安定した係止状態を保持することができる。
【００２６】
本請求項５に係る考案は、上記請求項１、２、３又は４に係る考案を前提として、手袋本体の少なくとも一部を編地（ニット素材）とすることで、フラップの位置を適正化でき、不快な騒音を生じることもないスポーツ用手袋と実現できた上で、ニット素材の有する伸縮性、通気性等を兼備させたスポーツ用手袋について従来の面ファスナーの雄係合子が引っ掛かることによる弊害、即ち、ニット素材の毛羽立ちや解れ、破損を引き起こさないものとすることができる。
【図面の簡単な説明】
【００２７】
【図１】本考案の実施例１に係るゴルフ用手袋を示す正面図及びその一部拡大説明図。
【図２】本考案の実施例１に係るゴルフ用手袋のフックと雌係止手段との（ａ）離脱状態の関係を示す説明図、（ｂ）スライド後の係着状態の関係を示す説明図。
【図３】本考案の実施例１に係るゴルフ用手袋の本考案の実施例１に係るゴルフ用手袋のフックと雌係止手段との離脱状態の関係を示す一部切り欠いた説明斜視図。
【図４】本考案の実施例１に係るゴルフ用手袋の（ａ）線材に対してフックを矢印方向にスライドさせる前の係着状態の関係を示す説明斜視図、（ｂ）線材に対してフックを矢印方向にスライドさせた後の係着状態の関係を示す説明斜視図。
【図５】本考案の実施例２に係るゴルフ用手袋を示す正面図及びその一部拡大説明図。
【図６】本考案の実施例２に係るゴルフ用手袋のフックと雌係止手段との（ａ）離脱状態の関係を示す説明図、（ｂ）係着状態の関係を示す説明図。
【図７】本考案の実施例２に係るゴルフ用手袋の本考案の実施例２に係るゴルフ用手袋のフックと雌係止手段との離脱状態の関係を示す説明斜視図。
【図８】本考案の実施例２に係るゴルフ用手袋の（ａ）線材に対してフックを矢印方向にスライドさせる前の係着状態の関係を示す説明斜視図、（ｂ）線材に対してフックを矢印方向にスライドさせた後の係着状態の関係を示す説明斜視図。
【考案を実施するための形態】
【００２８】
本考案は、手袋本体に設けられるフラップと、該フラップに対応して手袋本体の甲部若しくは手首近傍位置とに、相互に対応する雌雄の係止手段を備え、雄係止手段はフックを有し、雌係止手段は、幅方向に延びる複数の線材を長手方向に配置してなる構成を有するスポーツ用手袋において、雌係止手段は、線材の短手方向中央位置を長手方向へ連続し、前記線材を固定する稜線部を備え、稜線部の側部から同じ側方の線材の端部までの範囲を、前記フックが線材に係止した状態で幅方向にスライドするスライド面とし、テープ状の基材シート上に雌係止手段を配置し、該基材シートの端縁部と雌係止手段の両端部とを熱溶着してなる雌係止部材を備えたスポーツ用手袋としたことで、着用時に片手でフラップを把持し、該フラップを引っ張りながら、フックと雌係止手段（線材）をおおよそ合わせるだけの大雑把な操作で、片手で簡単に係着させることができ、大雑把な係着操作によって、フラップ全体が対応する係着位置からずれていても、その後にフックと雌係止手段とを離脱させることなく、フラップを幅方向にスライドさせるだけで、雌係止手段に沿って移動させ、簡単にフラップと該フラップに対応する係止位置を適正化することができ、雌雄係合手段を離脱させる際には、雌雄面ファスナー手段で生じるような不快な騒音を生じることがないので、ゴルフ等では他のプレイヤーの妨げにもならず、外観体裁が良好で高級感のある、優れたスポーツ用手袋の提供を実現した。
【実施例１】
【００２９】
本考案のスポーツ用手袋の実施例１としてゴルフ用手袋１について以下に説明する。尚、図１は本考案の実施例１に係るゴルフ用手袋を示す正面図及びその一部拡大説明図、図２は同実施例１に係るゴルフ用手袋のフックと雌係止手段との（ａ）離脱状態の関係を示す説明図、（ｂ）スライド後の係着状態の関係を示す説明図、図３は同実施例１に係るゴルフ用手袋の本考案の実施例１に係るゴルフ用手袋のフックと雌係止手段との離脱状態の関係を示す一部切り欠いた説明斜視図、図４は同実施例１に係るゴルフ用手袋の（ａ）線材に対してフックを矢印方向にスライドさせる前の係着状態の関係を示す説明斜視図、（ｂ）線材に対してフックを矢印方向にスライドさせた後の係着状態の関係を示す説明斜視図である。
【００３０】
本考案の実施例１に係るゴルフ用手袋１は、図１に示すように、手袋本体１０と、該手袋本体１０の手首部１１に一端を取着し他端側にフック３１を有するフラップ３と、手袋本体１０の甲側の手首部１１に設けた雌係止部材２とを備えている。手袋本体１０の甲側の手袋生地１４は、編地１５としている。
【００３１】
図１及び図２に示すように、雌係止部材２は、テープ状のシート基材２３上に、幅方向（短手方向）に亘って延びる太番手のモノフィラメントである線材２０を、長手方向に隙間なく多数配置し、これら線材２０の短手方向中央位置を、縫製糸によってシート基材２３と線材２０とを縫い付けながら長手方向に連続する稜線部２１を形成し、前記シート基材の各端縁から概ね４〜５ｍｍ幅の範囲を溶着部としてシート基材２３と線材とを溶着一体として形成したもので、長さ６０ｍｍ、幅３０ｍｍ程度のテープ状の外観を有する。当該雌係止部材２は、手袋本体１０の側の手首部１１において、当該手首部１１の手袋生地１４と、前記溶着部とを縫着してある。
【００３２】
そして、雌係止部材２の稜線部２１の側部から同じ側方の線材２０の端部まで（即ち、溶着部に至るまで）の範囲を、前記フック３１が雌係止手段として機能する線材２０に係止した状態で幅方向にスライドするスライド面２２とする。本実施例１に係るスライド面２２は、幅約１３ｍｍ程度としてある。
【００３３】
本実施例１におけるフラップ３は、その基端側を手袋本体１０の手首部１１のうち小指側となる位置に縫着してあり、フラップ基材３４の先端側に金属製線材からなる一つのフック部材３０を備える。該フック部材３０は、埋設部３３と幅約２ｍｍのフック３１とを備えている。埋設部３３は、フラップ基材３４に当接して、当て生地３２で被覆され、該当て生地３２とともに、フック部材３０に縫着してある。このため、フック部材３０はフック３１のみが外部に露呈する。フック部材３０の取付位置は、稜線部２１の側面に、フック部材３０のフック３１の側面が隣接する位置としてある。
【００３４】
上記構成によって、着用者が開口部１２からゴルフ用手袋１へ手を挿入して指部まで通した後、他方の手でフラップ３を引張しながら、雌係止手段とフック３１とを図３に示すように幅方向の位置を気にすることなく係止させ、その後、図４（ａ）（ｂ）に示すように、フック３１を有するフラップ３を幅方向へスライドし、稜線部２１の側面に隣接する位置とする。
【００３５】
稜線部２１の側部位置は、雌係止手段である線材２０と稜線部２１が交差しており、上記したように、稜線部２１が線材２０のほぼ中央をその上から縫製糸でシート基材２３とともに縫着することによって形成してあるため、線材２０とシート基材２３がより密着した状態であり、この線材２０とシート基材２３との間にフック３１の先端が入り込むことで、よりフック３１は強く係止される。
【００３６】
またフック３１は、稜線部２１を超えてスライドしないため、スライド方向も幅方向のうち一方のみに制限される。そして、着用時にフラップ３に対して生じる長手方向（手首周りの方向）の引張力が作用することで、係止させたフック３１は使用状態においてずれることもなく、安定した係止状態を保持することができる。
【００３７】
そして、本実施例１においては、前記したようにフック３１の幅約２ｍｍとし、スライド面２２の幅寸法（稜線部２１の側部から同じ側方の線材２０の端部までの長さ寸法）を約１３ｍｍとすることによって、スライド面２２の幅をフック３１の幅の６倍以上とし、且つ、係止時にフラップ３の幅方向中央ラインＬ１と稜線部２１が一致した状態でフラップ３から食み出さない範囲までの寸法としてある。このため、大雑把な係止とスライド機能を許容できる十分な幅寸法を確保し、且つ、最終的な係止状態でフラップ３から雌係止手段（線材２０）が露呈することを防止することができる。
【実施例２】
【００３８】
次に本実施例２に係るスポーツ用手袋（実施例１と同様にゴルフ用手袋１について説明する。尚、図５は本考案の実施例２に係るゴルフ用手袋を示す正面図及びその一部拡大説明図、図６は同実施例２に係るゴルフ用手袋のフックと雌係止手段との（ａ）離脱状態の関係を示す説明図、（ｂ）係着状態の関係を示す説明図、図７は同実施例２に係るゴルフ用手袋の本考案の実施例２に係るゴルフ用手袋のフックと雌係止手段との離脱状態の関係を示す説明斜視図、図８は同実施例２に係るゴルフ用手袋の（ａ）線材に対してフックを矢印方向にスライドさせる前の係着状態の関係を示す説明斜視図、（ｂ）線材に対してフックを矢印方向にスライドさせた後の係着状態の関係を示す説明斜視図である。
【００３９】
本考案の実施例２に係るゴルフ用手袋１は、図５に示すように、手袋本体１０と、該手袋本体１０の甲部１３の側方に一端を取着し他端側に二つのフック３１を有するフラップ３と、手袋本体１０の甲部１３に設けた雌係止部材２とを備えたものである。手袋本体１０の甲側の手袋生地１４は、編地１５としている。
【００４０】
本実施例２に係る雌係止部材２は、基本構成としては実施例１と同様であり、サイズのみ相違するものである。即ち、テープ状のシート基材２３上に、幅方向（短手方向）に亘って延びる太番手のモノフィラメントである線材２０を、長手方向に隙間なく多数配置し、これら線材２０の短手方向中央位置を、縫製糸によってシート基材２３と線材２０とを縫い付けながら長手方向に連続する稜線部２１を形成し、前記シート基材の各端縁から概ね３ｍｍ幅の範囲を溶着部としてシート基材２３と線材とを溶着一体として形成したもので、長さ５０ｍｍ、幅３０ｍｍ程度のテープ状の外観を有する。当該雌係止部材２は、手袋本体１０の側の甲部１３において、当該甲部１３の手袋生地１４と、前記溶着部２４とを縫着してある。
【００４１】
そして、本実施例２に係る雌係止部材２は、実施例１と構成こそ同一であるものの、二つのフック３１に対応して、稜線部２１を境にしてその両側を夫々、スライド面２２として機能する点で相違する。
【００４２】
本実施例２におけるフラップ３は、前記したように、その基端側を手袋本体１０の甲部１３の側方部分に縫着してあり、先端側に金属製線材からなる二つのフック部材３０を幅方向に並べて備える。
各フック部材３０の形状は、実施例１に使用したフック部材３０と共通構成のものを使用している。埋設部３３は、当て生地３２で被覆され、該当て生地３２とともにフック部材３０に縫着し、フック部材３０はフック３１のみが外部に露呈する点は実施例１と共通する。
【００４３】
本実施例２に係るゴルフ用手袋１においては、図６に示すように、各スライド面２２の幅方向中央位置に対応するように、二つのフック３１を併設している。即ち、実施例１では、最終的にフック３１の係止位置が幅方向において稜線部２１の側面に隣接する位置としていたが、本実施例２では、図７及び図８（ａ）（ｂ）に示すように、各フック３１がスライド面２２の幅方向中央位置を最終位置とする。
【００４４】
実施例１と異なり、本実施例２においては当該スライド面２２の幅方向中央位置を最終位置としているが、左右二つのフック３１を有すること、及び当該線材２０がフック３１によって引張された結果各線材２０の中央をフック３１の係止位置とするため、手の甲部１３や手首部１１のカーブに応じてバランスよく線材２０を引張することによって、安定した係止状態を保つことができる。
【００４５】
また、本実施例２においても、大雑把な係止と、スライド機能を許容できる十分な幅寸法を確保し、且つ、最終的な係止状態でフラップ３から雌係止手段（線材２０）が露呈することを防止することができる。
【００４６】
尚、上記実施例１、２においてはいずれもスポーツ用手袋としてゴルフ用手袋１を示したが、本考案はこれに限るものではなく、例えば狩猟用手袋等、静粛性が要求される広義のスポーツ用手袋について、好適に使用することができる。
【００４７】
また、上記実施例はいずれも手袋生地１４を編地１５としているが、本考案はこれに限るものではなく、織地等であってもよい。尚、実施例１、２のように編地１５を利用することで、編地の有する伸縮性、通気性の良さをスポーツ用手袋に使用した際であっても、本考案の構成によれば、雌雄面ファスナーを用いないため、従来雌雄面ファスナーの雄係合子の不慮の引っ掛かりによって生ずる編地の毛羽立ち、解れ、ピリングを防止することができる。
【００４８】
本考案においては、フック３１の幅寸法Ｗ２は、特に限定するものではなく、スライド面２２の幅寸法（即ち、稜線部の側方から同じ側方の線材の端部までの長さ寸法）Ｗ１に対してスライド可能な寸法であればよい。また、スライド面２２の幅寸法（即ち、稜線部の側方から同じ側方の線材の端部までの長さ寸法）Ｗ１は、特に限定するものでなく、フック３１がスライド可能となるだけの寸法が確保されればよい。また、係止時にフラップの幅方向中央ラインＬ１と稜線部が一致した状態で、フラップからはみ出さない範囲となる寸法Ｗ３を超えることを制限しないが、当該幅方向中央ラインＬ１と稜線部が一致した状態で寸法Ｗ３を越えると、係止状態において、フラップから雌係止手段が露呈し、外観体裁を損なうため、寸法Ｗ３以内とすれば、より外観体裁を良好とすることができ、好ましいものとなる。
【００４９】
また、本考案においては、上記実施例に記載したフック部材３０のみならず、フック３１の機能を有し、且つ、幅方向のスライド機能を許容するものであれば使用できる。フラップ３を指で把持し、引張する構成については、必ずしもフラップ３自体に伸縮性を有さなくてもよく、例えば、甲部１３や手首部１１の生地の伸縮性を利用するものであっても良い。
【００５０】
また、本発明の構成によれば、従来雌雄面ファスナーにおける雄係合子によるセーターなどの衣服の袖口への引っ掛かりによって発生する毛羽立ち、解れ、ピリングを阻止することができる。
【符号の説明】
【００５１】
１      ゴルフ用手袋
１０    手袋本体
１１    手首部
１２    開口部
１３    甲部
１４    手袋生地
１５    編地
２      雌係止部材
２０    線材（雌係合手段）
２１    稜線部
２２    スライド面
２３    シート基材
２４    溶着部
３      フラップ
３０    フック部材
３１    フック
３２    当て生地
３３    埋設部
３４    フラップ基材
Ｌ１    幅方向中央ライン
Ｗ１    スライド面の幅寸法
Ｗ２    フックの幅寸法
Ｗ３    寸法
【図１】
0003157833.tif 000003
【図２】
0003157833.tif 000004
【図３】
0003157833.tif 000005
【図４】
0003157833.tif 000006
【図５】
0003157833.tif 000007
【図６】
0003157833.tif 000008
【図７】
0003157833.tif 000009
【図８】
0003157833.tif 000010